(57)【要約】本発明は管楽器用マウスピース及びリードに殺菌消毒及び脱湿作用を提供することによって、管楽器用マウスピース及びリードの問題点である呼吸と唾による細菌、悪臭、腐食などを除去及び予防して、健康を保護し、且つ快適な演奏環境を得ることができる。前記目的を達するために、本発明は、所定形状のケースを上部及び下部に分けて、上部には紫外線ランプまたは紫外線ＬＥＤ（発光ダイオード）を設置して、電源を印加すると通電されて発光するようにすることによって殺菌及び消毒し、下部には反射板（金属板、鏡など）を装着した後、マウスピース及びリードを収納して、上部で照射される紫外線をマウスピース及びリードの背面にも照射するようにして、演奏後残っている湿気及び口臭を取り除き、紫外線ランプに電源を印加するための手段としては前記プラスチックケースの下部にＡ／Ｃ電源部を設置するか、バッテリーを通じて電源が通電されるようにした。
2012524286.tif 000002
【特許請求の範囲】
【請求項１】
ケースの上下部位を基準に、上部には紫外線ランプまたは紫外線ＬＥＤが所定形状に形成された溝に設置されて通電連結端子に連結され、前記ケースの下部には前記紫外線ランプまたは紫外線ＬＥＤに電源を印加するＡ／Ｃ電源若しくはバッテリーが設置されるように制御器を備え、前記制御器に紫外線ランプまたは紫外線ＬＥＤの点滅時間を調節するタイマー及び電源をオン／オフするスィッチが設置され、前記ケースの下部内部にはマウスピースを固定するための
2012524286.tif 000013
または
2012524286.tif 000014
形態の固定部、及びリードを固定するための「Ｕ」、「Ｖ」字状の固定部を形成し、殺菌及び脱湿效果を増進させるための紫外線反射板が内面に装着されることを特徴とする管楽器用マウスピース及びリード殺菌及び脱湿器。
【請求項２】
マウスピースとリードを同時に使用できるように、
2012524286.tif 000015
または
2012524286.tif 000016
形態の固定部、及び「Ｕ」、「Ｖ」字状の固定部を離間して形成することを特徴とする請求項１に記載の管楽器用マウスピース及びリード殺菌及び脱湿器。
【請求項３】
マウスピースとリードをそれぞれ単独に使用可能に固定部を形成することを特徴とする請求項１に記載の管楽器用マウスピース及びリード殺菌及び脱湿器。
【発明の詳細な説明】
【技術分野】
【０００１】
本発明は管楽器用マウスピース及びリードの殺菌消毒及び脱湿装置に関し、さらに詳しくは、管楽器用マウスピース及びリードを所定形状のプラスチックケースの内部に挿入及び装着して、演奏後、湿気（唾）によって発生する各種細菌、カビ菌及び悪臭を取り除いて予防して、演奏者の健康を保護し、且つ管楽器用マウスピース及びリードの掃除と清潔を保持するためのものである。
【背景技術】
【０００２】
一般的に、管楽器用マウスピース及びリードの材料は、マウスピースの場合、金属材質（金、銀、黄銅、ステンレス、アルミニウムなど）またはプラスチック（熱硬化性樹脂）材料で製作し、リードの場合、木（葦の一種であるダンチク（Ａｒｕｎｄｏ  ｄｏｎａｘ））または合成樹脂で製作し、その特性上、口を通じて音を出すことから、口の中に存在する数え切れない分泌物（唾、食べ物残物など）が呼吸の時マウスピースと組み立てられたリードの中に入り、そのため、細菌が繁殖し、腐食が発生して、健康被害は勿論であり、悪臭も疎ましくて快適な演奏ができない問題点があった。
【発明の概要】
【発明が解決しようとする課題】
【０００３】
本発明は管楽器用マウスピース及びリードを所定形状のプラスチックケースの内部に挿入、装着して、マウスピース及びリードに存在する各種細菌及びカビ菌を除去及び予防して管楽器を演奏する使用者の健康を保護し、マウスピース及びリードの寿命を延長することを目的とする。
【課題を解決するための手段】
【０００４】
本発明は管楽器用マウスピース及びリードの殺菌消毒及び脱湿できるようにする機器に関し、ケースの上下部位を基準に、上部には紫外線ランプまたは紫外線ＬＥＤが所定形状に形成された溝に設置されて、通電連結端子に連結されることが好ましい。
【０００５】
本発明による機器は、プラスチックケースの下部に紫外線ランプまたは紫外線ＬＥＤに電源を印加するＡ／Ｃ電源若しくはバッテリーが設置できるように制御器を備えることが好ましい。
【０００６】
本発明による機器は、制御器に紫外線ランプまたは紫外線ＬＥＤの点滅時間を調節するタイマー及び電源をオン／オフするスィッチが設置されることが好ましい。
【０００７】
本発明による機器は、ケースの下部内部にはマウスピースを固定するための
2012524286.tif 000003
または
2012524286.tif 000004
形態の固定部及びリードを固定するための「Ｕ」または「Ｖ」字状の固定部を形成し、殺菌及び脱湿效果を増進させるための紫外線反射板が内面に装着されることが好ましい。
【０００８】
本発明による機器は、使用者の要求に応じて、マウスピースとリードを同時に使用できるように、
2012524286.tif 000005
、
2012524286.tif 000006
形態の固定部及び「Ｕ」、「Ｖ」字状の固定部を離間して形成するか、それぞれのマウスピースとリードをそれぞれ単独に使用可能に固定部を形成することが好ましい。
【発明の効果】
【０００９】
本発明はサクソフォーン、クラリネット、トランペット、ホルン、チューバ、トロンボーンなどで使われる管楽器用マウスピース及びリードの全般にかけて紫外線ランプまたは紫外線ＬＥＤによる殺菌消毒及び脱湿ができて、マウスピース及びリードに存在する各種細菌及びカビ菌を除去及び予防して、管楽器を演奏する使用者の健康を保護し、製品の寿命を延長することができ、演奏者の心理的な安定感を期待することができる。
【図面の簡単な説明】
【００１０】
【図１】本発明による管楽器用マウスピース及びリード殺菌消毒及び脱湿器の構造を示した分離斜視図である。
【図２】本発明による管楽器リード専用殺菌消毒及び脱湿器の構造を示した分離斜視図である。
【図３】本発明による管楽器用マウスピース及びリード殺菌消毒及び脱湿器の制御手段を示したブロック図である。
【図４】本発明による金管楽器用マウスピース殺菌消毒及び脱湿器の設置状態図である。
【図５】本発明による木管楽器用マウスピース殺菌消毒及び脱湿器の設置状態図である。
【図６】本発明による管楽器用リード専用殺菌消毒及び脱湿器の設置状態図である。
【発明を実施するための形態】
【００１１】
本発明は管楽器用マウスピース及びリードの殺菌消毒及び脱湿ができるようにする機器に関し、プラスチックケースの上下部位を基準に、上部には紫外線ランプまたは紫外線ＬＥＤが所定形状に形成された溝に設置されて通電連結端子に連結され；前記プラスチックケースの下部には前記紫外線ランプまたは紫外線ＬＥＤに電源を印加するＡ／Ｃ電源若しくはバッテリーが設置されるように制御器を備え、前記制御器に紫外線ランプまたは紫外線ＬＥＤの点滅時間を調節するタイマー及び電源をオン／オフするスィッチが設置され；前記プラスチックケースの下部内部にはマウスピースを固定するための
2012524286.tif 000007
または
2012524286.tif 000008
形態の固定部及びリードを固定するための「Ｕ」または「Ｖ」字状の固定部を形成し、殺菌及び脱湿效果を増進させるための紫外線反射板が内面に装着されることを特徴とする。
【００１２】
（発明を実施するための形態）
本発明を添付図面を参照して詳しく説明すれば次の通りである。
【００１３】
図１〜図６で示すように、本発明は管楽器用マウスピース及びリードを所定形状のプラスチックケースの内部に挿入または装着する形態で、紫外線ランプまたは紫外線ＬＥＤ５に通電できるようにする通電連結端子１３を一側に結合し、他側には制御器（定時継電器内装型）７を連結する。
【００１４】
前記ケース下部１にはＡ／Ｃ電源及びバッテリーを設置することができる電源部６が結合され、電源の印加有無を制御するオン／オフスィッチ８が内装され、制御器７の電源部をケース下部１の電源部６と結合することができるように、ケース下部１の内側嵌合突起に固定した後、ケース下部１に係止突起を利用してケース外管２を固定し、ケース下部１の内部に金属板または鏡などからなる反射板１２を附着する。
【００１５】
前記ケース下部１内部にマウスピース（木管楽器用）１０、マウスピース（金管楽器用）１１をマウスピース載置台固定部１−２に固定し、リード９はリード載置台固定部１−１に固定した後、ケース上部３をかぶせれば、マウスピース及びリード複合殺菌消毒及び脱湿器になる。
【００１６】
また、図２で示すように、ケース下部１の形態を変えて電源部６、調節器７及びオン／オフスィッチ８が結合されることができるように、ケース下部１の内側嵌合突起に固定し、リード載置台固定部１−１の中央に紫外線ランプまたは紫外線ＬＥＤ５を挿入して固定キャップ４で固定した後、リード載置台固定部１−１にリード９を挿入し、ケース下部１全体をケース外管２の内部に装着した後ケース上部３の係止突起がケース外管２の上端に固定されるとリード専用殺菌消毒及び脱湿器になる。
【００１７】
このようなケースはプラスチックのような合成樹脂材で形成されてもよく、金属素材で製作されてもよい。また、ケースは金属と合成樹脂を利用した複合材料を利用して形成してもよい。
【００１８】
前記調節器７は定時継電器を含み、１回通電の時、約１０〜２０分間設定した時間だけ紫外線ランプまたは紫外線ＬＥＤ５を発光させる。
【００１９】
前記のように構成された本発明による管楽器用マウスピース及びリード殺菌消毒及び脱湿器の作用效果を説明すれば下記の通りである。
【００２０】
まず、マウスピース及びリード殺菌器にリード９及びマウスピース１０、１１を設置するために組立てる過程を説明すれば、ケース下部１のリード載置台固定部１−１及びマウスピース載置台固定部１−２にリード９及びマウスピース１０、１１を挿入して装着した後、ケース下部１の電源部６にＡ／Ｃ電源またはバッテリーを連結し、ケース上部３をかぶせ、ケース下部１の電源部６にＡ／Ｃ電源またはバッテリーを連結する。
【００２１】
このように設置された状態で、ケース下部１に設置されたスイッチング部のオン／オフスイッチ８を作動させて、前記発光部である紫外線ランプまたは紫外線ＬＥＤ５に電源を印加させると、前記発光部である紫外線ランプまたは紫外線ＬＥＤ５は調節器７の制御信号によって約１０〜２０分間発光し、ケース上部３を開くと電源遮断器によって紫外線ランプまたは紫外線ＬＥＤ５の電源を遮断することもできる。
【００２２】
前記のように所定形状に備えられたプラスチックケースに紫外線ランプまたは紫外線ＬＥＤ５を設置して、管楽器用マウスピース及びリードを挿入または装着して殺菌消毒及び乾湿ができる長所があり、マウスピース及びリードを容易に着脱、保管することができるなどその使用が非常に便利な長所があり、携帯用としても使用可能である。
【００２３】
この時、固定部はマウスピースとリードを同時に使用できるように、
2012524286.tif 000009
または
2012524286.tif 000010
形態の固定部、及び「Ｕ」、「Ｖ」字状の固定部を離間して形成してもよい。
また、固定部はマウスピースとリードを同時に使用できるように、
2012524286.tif 000011
または
2012524286.tif 000012
形態の固定部、及び「Ｕ」、「Ｖ」字状の固定部を複合的に形成してもよい。
【００２４】
また、本発明の殺菌消毒及び脱湿器は管楽器用マウスピース及びリードのみに限定されるのではなく、その使用一例として、楊枝、綿棒、その他小型生活必需品なども容易に設置して殺菌消毒及び脱湿機能を行うことができる。
【００２５】
以上の説明では、本発明は特定の実施形態について図示して説明したが、特許請求の範囲に示した発明の技術思想及び領域を逸脱しない範囲内で多様な変化が可能であることは当該発明が属する技術分野において通常の知識を有する者であれば容易に理解できるものである。
【図１】
2012524286.tif 000017
【図２】
2012524286.tif 000018
【図３】
2012524286.tif 000019
【図４】
2012524286.tif 000020
【図５】
2012524286.tif 000021
【図６】
2012524286.tif 000022
【国際調査報告】
2012524286.tif 000023
2012524286.tif 000024
2012524286.tif 000025
2012524286.tif 000026